(57)【要約】【課題】残留者がいるにもかかわらず入退室管理システムにて警戒開始がなされたときの警戒状態を、容易に解除可能とする入退室管理システムの提供。【解決手段】警戒エリア１の外側に、警戒エリア１に対する警戒モードの設定及び解除を行う警戒開始解除スイッチ２ａと、警戒エリア１内に複数設けられ人を検出すると信号を出力する人感センサー５と、警戒開始解除スイッチ２ａの操作で警戒エリア１の警戒開始及び警戒解除し、警戒解除されると人感センサー５の出力信号を無効とする警戒通報装置１０とを備えるとともに、警戒開始解除スイッチ２ａによる警戒開始がされると、所定時限後に信号を出力するタイマー６ａと、タイマー６ａが信号を出力する前に警戒エリア１の内側に設けたカードリーダー３が認証コードを読み込むと、警戒通報装置１０に対し、警戒開始から警戒解除とする警戒リセット要求装置６とを備えている。【選択図】図２
2016194872.tif 000002
【特許請求の範囲】
【請求項１】
警戒エリアの内側及び外側に、認証カードに記憶される認証コードの読み込みで、扉に設けた電気錠へ解錠指令を出力するカードリーダーと、前記警戒エリアの外側に、当該警戒エリアに対する警戒モードの設定及び解除を行う警戒開始解除スイッチと、前記警戒エリア内に複数設けられ、人を検出すると信号を出力する人感センサーと、前記警戒開始解除スイッチの操作で、前記警戒エリアの警戒開始及び警戒解除とするとともに、警戒解除が成されると前記人感センサーの出力信号を無効とする警戒通報装置とを備えた入退室管理システムにおいて、
前記警戒開始解除スイッチによる警戒開始が成されると、所定時限後に信号を出力するタイマーと、
このタイマーが信号を出力する前に前記警戒エリアの内側に設けたカードリーダーが認証コードを読み込むと、前記警戒通報装置に対し、警戒開始から警戒解除とする警戒リセット要求装置と、
を備えたことを特徴とする入退室管理システム。
【発明の詳細な説明】
【技術分野】
【０００１】
本発明は、入退室管理システムに関する。
【背景技術】
【０００２】
従来、最終退室者が退室時に警戒開始スイッチを押下した場合に、残留検知手段が残留者のいることを検知していれば報知することで警戒開始スイッチをオフに戻して退室するため、誤報を防止するものが開示されている（特許文献１）
【０００３】
さらに、最終退室者が退室時に警戒開始スイッチを押下すると最終退室である旨の音声アナウンスを放送し、その音声アナウンスに残留者に向け警戒解除する場合の電話番号を報知することにより、残留者が電話応答した上で警戒解除するものが開示されている（特許文献２）。
【先行技術文献】
【特許文献】
【０００４】
【特許文献１】特許第３０９１６１５号公報
【特許文献２】特開平１１−３５３５６９号公報
【発明の概要】
【発明が解決しようとする課題】
【０００５】
オフィスビルの専有部エリア等の入口等を、認証カード等個別の識別コードを有する認証媒体をカードリーダーに翳すことで解錠を行い、前記専有部の最終退室者が退室時に警戒を開始することで、侵入者を検知し警備会社等に通報を行う入退室管理システムにおいて、前記専有部エリアの警戒を開始する場合は、あらかじめ専有部エリア内部に残留者がいるかどうかを人感センサー等で判断した上で警戒を開始するが、残留者に動きがない場合に、前記人感センサーは人の検知ができないため、残留者がいるにもかかわらず警戒が開始され、その後残留者に動きがあった場合に、侵入者とみなされ警備会社へ出動指令が送信されてしまう。
【０００６】
本発明の目的は、残留者がいるにもかかわらず入退室管理システムにて警戒開始がなされたときの警戒状態を、容易に解除可能とする入退室管理システムを提供することにある。
【課題を解決するための手段】
【０００７】
上記目的を達成するために本発明は、警戒エリアの内側及び外側に、認証カードに記憶される認証コードの読み込みで、扉に設けた電気錠へ解錠指令を出力するカードリーダーと、前記警戒エリアの外側に、当該警戒エリアに対する警戒モードの設定及び解除を行う警戒開始解除スイッチと、前記警戒エリア内に複数設けられ、人を検出すると信号を出力する人感センサーと、前記警戒開始解除スイッチの操作で、前記警戒エリアの警戒開始及び警戒解除とするとともに、警戒解除が成されると前記人感センサーの出力信号を無効とする警戒通報装置とを備えた入退室管理システムにおいて、前記警戒開始解除スイッチによる警戒開始が成されると、所定時限後に信号を出力するタイマーと、このタイマーが信号を出力する前に前記警戒エリアの内側に設けたカードリーダーが認証コードを読み込むと、前記警戒通報装置に対し、警戒開始から警戒解除とする警戒リセット要求装置と、を備えたことを特徴としている。
【発明の効果】
【０００８】
本発明によれば、警戒開始時に残留者が退室側カードリーダーに認証カードを翳すことで、警戒開始をリセットできるようにしたので、残留者を侵入者とする誤検出による警備会社への出動指令を防止できる。
【図面の簡単な説明】
【０００９】
【図１】本発明の入退室管理システムの一実施形態に関する機器の配置を示す建物の要部平面図である。
【図２】本発明の入退室管理システムの一実施形態の要部構成を示すブロック図である。
【図３】本発明の入退室管理システムの一実施形態の動作を説明するフローチャートである。
【発明を実施するための形態】
【００１０】
図１、図２において、建物における例えばオフィス専有部である警戒エリア１には、入退室を行う扉の施解錠を行う電気錠４ａ、図示しない認証カードの読取を行う入室側カードリーダー２、退室側カードリーダー３、警戒エリア１内に残る人を検知するための人感センサー５が備えられており、警戒エリア１への入室者は入室側カードリーダー２に図示しない認証カードを翳すことにより、電気錠４ａが解錠し入室可能となる。また、警戒エリア１からの退室者は退室側カードリーダー３に図示しない認証カードを翳すことにより、電気錠４ａが解錠し退室可能となる。
【００１１】
警戒エリア１の最終退出者が、エリア警戒を開始する場合は退出後に、入室側カードリーダー２に図示しない認証カードを翳した上で、入室側カードリーダー２に設けられる図示しない警戒釦を押下することにより、警戒エリア１の警戒が開始となる。
【００１２】
また警戒エリア１には、入室を制限させるための電気錠４ａと、その電気錠４ａを解錠するための、入室側カードリーダー２及び退室側カードリーダー３と、警戒エリア１の警戒を開始したら解除を行う警戒開始解除スイッチ２ａと、警戒エリア１内の人物を検知し信号を出力する複数の人感センサー５と、これら人感センサー５の出力信号で警戒エリア１内に残留者の有無を検出する人検知装置９と、警戒エリア１の扉４の開閉状態を確認するとともに、残留者の有無を確認し警戒可否を判断する警戒可否判断装置７と、警戒開始が成された場合に、入室側カードリーダー２と退室側カードリーダー３の認証を無効とする警戒設定装置８と、退室側カードリーダー３と警戒設定装置８に接続され、警戒開始が成されると作動し、所定時限である例えば２０秒後に信号を出力するタイマー６ａを内蔵する警戒リセット要求装置６と、警戒開始が成された場合に、人検知装置９が人の存在を検知した場合に、侵入者として図示しない警備会社へ通報を行うための警戒通報装置１０と、警戒設定装置８および警戒通報装置１０が警戒を開始した場合に、警戒開始を例えば音声などで報知するための警戒開始報知装置１１と、が備えられる。
【００１３】
ここで、警戒リセット要求装置６と警戒可否判断装置７と警戒設定装置８で、入退室管理用端末Ａが構成され、人検知装置９と警戒通報装置１０で、図示しない警備会社へ警戒エリア１への侵入者有等の通報を行う警備用端末Ｂが構成される。
【００１４】
また警戒リセット要求装置６は、警戒可否判断装置７が警戒開始を可とした場合でも、タイマー６ａが信号を出力する時限である例えば２０秒間警戒エリア１の警戒開始を遅延させるもので、この２０秒の間に警戒開始を解除可能とするものである。
【００１５】
次に、本実施の形態の動作の説明を図３のフローチャートを用いて説明する。
【００１６】
警戒エリア１からの最終退室者が、退室後に入室側カードリーダー２に図示しない認証カードを翳した上で警戒開始解除スイッチ２ａを押下すると（ステップＳ１）、入退室管理用端末Ａの警戒可否判断装置７は、警戒エリア１内に存在する扉４の電気錠４ａが閉まっているかどうかを確認し（ステップＳ２）、扉４が閉まっている場合は警戒開始可能と判断するとともに、警戒設定装置８へ警戒開始可能指令を送信し、警備用端末Ｂ内の人検知装置９は警備用端末Ｂに接続される人感センサー５の出力信号を確認し（ステップＳ３）、信号の出力がなく監視エリア１人が存在しないと判断すると、警戒通報装置１０へ警戒開始可能指令を送信する。ここで、ステップＳ２で開いている扉４が存在する場合、ステップＳ３で監視エリア１人が存在すると判断した場合、ステップＳ１へ戻る。
【００１７】
また、警戒設定装置８と警戒設通報装置１０の双方が警戒開始可能指令を受信すると、警備用端末Ｂから警戒開始報知装置１１へ警戒開始可能指令を送信することで、警戒開始報知装置１１は、例えば、図示しないＬＥＤの点灯や所定の音声案内等の警戒開始を報知する。
【００１８】
また、ステップＳ３で監視エリア１人が存在しないと判断すると、警戒設定装置８は、警戒リセット要求装置６に設けられるタイマー６ａを起動させ（ステップＳ４）、タイマー６ａが計時する所定時限である例えば２０秒経過したか否かの判定を行い（ステップＳ５）、所定時限である２０秒を越えた場合、警戒設定装置８は警戒開始可能指令を警戒設通報装置１０へ送信し、警戒設通報装置１０は監視エリア１の警戒を開始する（ステップＳ６）。
【００１９】
一方、ステップＳ５でタイマー６ａの計時が所定時限である２０秒未満の場合、警戒リセット要求装置６は、退室側カードリーダー３に図示しない認証カードに記憶される認証コードを退室側カードリーダー３が読み込んだか否かを判断し（ステップＳ７）、認証コードを読み込んでいないときはステップＳ５へ戻り、認証コードを読み込んだと判断すると、警戒設定装置８へ警戒解除指令を送信し、警戒設定装置８は警戒解除指令を警戒通報装置１０へ送信することで、監視エリア１の警戒開始の解除を行う（ステップＳ８）。
【００２０】
このように、警戒エリア１に図示しない残留者が存在していた場合、警戒開始報知装置１１の警戒開始時の音声案内等の報知によって、警戒エリア１が警戒状態となると判断した図示しない残留者は、所持している図示しない認証カードを退室側カードリーダー３に翳すことで、警戒エリア１の警戒開始を解除できる。
【００２１】
本実施形態によれば、警戒エリア１が警戒開始状態となり、警戒エリア１内に図示しない残留者が存在していても、警戒開始後所定時間である例えば２０秒以内であれば、図示しない残留者によって警戒開始状態を解除できるようにしたので、残留者を侵入者とする誤検出による警備会社への出動指令を防止できる。
【符号の説明】
【００２２】
１  警戒エリア
２  入室側カードリーダー
３  退室側カードリーダー
４  扉
４ａ  電気錠
５  人感センサー
６  警戒リセット要求装置
６ａ  タイマー
７  警戒可否判断装置
８  警戒設定装置
９  人検知装置
１０  警戒設定装置
１１  警戒開始報知装置
Ａ  入退室管理用端末
Ｂ  警備用端末
【図１】
2016194872.tif 000003
【図２】
2016194872.tif 000004
【図３】
2016194872.tif 000005